(57)【要約】 【課題】  冷陰極管点灯用インバータの出力状態に対して精度の高い検査を可能とし、かつ生産性を向上させた冷陰極管点灯用インバータの検査方法および検査装置を提供すること。【解決手段】  冷陰極管点灯用インバータの出力状態を発光体１２１及び受光素子１３により検知し、そのデータ信号を計側機器部１４及び制御部１５に入力し前記インバータの出力状態を解析、判定することにより冷陰極管点灯用インバータの自動合否判定を可能にする。【選択図】  図２
2008270002.tif 000002
【特許請求の範囲】
【請求項１】
冷陰極管点灯用インバータの出力状態を検査する検査方法であって、直流安定化電源と、発光体を含む負荷と、受光素子と、計測機器及び制御部とを用い、前記インバータの出力により発光する前記発光体の発光状態を前記受光素子により検知し、その受光素子の受光状態により前記インバータの出力状態を検査することを特徴とする冷陰極管点灯用インバータの検査方法。
【請求項２】
前記受光素子の受光状態を示す前記受光素子の出力信号を前記制御部と前記計測機器に入力し、前記インバータの自動合否判定を行うことを特徴とする請求項１記載の冷陰極管点灯用インバータの検査方法。
【請求項３】
冷陰極管点灯用インバータの出力状態を検査する検査装置であって、直流安定化電源と、発光体を含む負荷と、受光素子と、制御部及び計測機器部とを備え、前記インバータの出力により発光する前記発光体の発光状態を前記受光素子により検知し、その受光素子の受光状態により前記インバータの出力状態を検査することを特徴とする冷陰極管点灯用インバータの検査装置。
【請求項４】
前記受光素子の受光状態を示す前記受光素子の出力信号を前記制御部と前記計測機器に入力し、前記インバータの自動合否判定する判定手段を備えること特徴とする請求項３記載の冷陰極管点灯用インバータ検査装置。
【発明の詳細な説明】
【技術分野】
【０００１】
本発明は、冷陰極管点灯用インバータの検査方法および検査装置に関するもので、とくに冷陰極管点灯用のインバータの出力状態を基に合否判定を行う検査方法及び装置に関するものである。
【背景技術】
【０００２】
従来の冷陰極管点灯用インバータの出力状態の検査方法は、前記従来のインバータ出力状態の検査装置において、インバータの負荷として液晶ディスプレイまたは発光ダイオードなどの発光体を含む負荷を接続し、インバータの出力によって発光させ、前記液晶ディスプレイまたは、負荷に含まれる発光体の発光状態を目視で判定している。
【０００３】
図１は従来の冷陰極管点灯用インバータの検査方法の説明図である。１は、検査対象物であるインバータ、２は、インバータの出力対象である負荷で、インバータの出力によって発光状態が変化する液晶ディスプレイまたは、インバータの出力によって発光状態が変化する発光ダイオードなどの発光体を含む負荷、３は直流安定化電源である。
【０００４】
しかし、従来の冷陰極管点灯用インバータの出力状態の検査方法では、液晶ディスプレイ、または負荷に含まれる発光体の微細な発光状態の変化としてあらわれるインバータの出力状態の異常は、目視で判断できないため検出不可能である。また、液晶ディスプレイまたは、負荷に含まれる発光体の微細な発光状態の変化に対する判断基準が検査員によって曖昧なため、精度にも問題が生じている。さらに、検査員は目視検査のために他の作業を全くすることができず生産性の低下につながるという問題がある。
【０００５】
【特許文献１】特開２００２−３５０２８４号公報
【発明の開示】
【発明が解決しようとする課題】
【０００６】
本発明の目的は、上述した課題を解決し、冷陰極管点灯用インバータの出力状態に対して精度の高い検査を可能とし、かつ生産性を向上させた冷陰極管点灯用インバータの出力状態の検査方法および検査装置を提供することにある。
【課題を解決するための手段】
【０００７】
本発明は、冷陰極管点灯用インバータの出力状態を検査する検査方法であって、直流安定化電源と、発光体を含む負荷と、受光素子と、制御部及び計測機器とを用い、前記インバータの出力により発光する前記発光体の発光状態を前記受光素子により検知し、その受光素子の受光状態により前記インバータの出力状態を検査することを特徴とする冷陰極管点灯用インバータの検査方法である。
【０００８】
また、本発明は、前記受光素子の受光状態を示す前記受光素子の出力信号を前記制御部と前記計測機器に入力し、前記インバータの自動合否判定を行うことを特徴とする請求項１記載の冷陰極管点灯用インバータの検査方法である。
【０００９】
また、本発明は、冷陰極管点灯用のインバータの出力状態を検査する検査装置であって、直流安定化電源と、発光体を含む負荷と、受光素子と、制御部及び計測機器部とを備え、前記インバータの出力により発光する前記発光体の発光状態を前記受光素子により検知し、その受光素子の受光状態により前記インバータの出力状態を検査することを特徴とする冷陰極管点灯用インバータの検査装置である。
【００１０】
また、本発明は、前記受光素子の受光状態を示す前記受光素子の出力信号を前記制御部と前記計測機器に入力し、前記インバータの自動合否判定する判定手段を備えること特徴とする請求項３記載の冷陰極管点灯用のインバータの検査装置である。
【発明の効果】
【００１１】
本発明によれば、基本構成を共通にした検査装置で、複数のインバータ出力検査を高い精度で可能とし、かつ作業工数の削減並びに検査時間の短縮に伴う生産性の向上を実現させた冷陰極管点灯用インバータの出力状態の検査方法および検査装置を提供することが出来る。
【発明を実施するための最良の形態】
【００１２】
以下、本発明の実施の形態について図１を用いて説明する。
【００１３】
図１は、本発明の冷陰極管点灯用インバータの検査装置の基本構成を示す図であり、１１は、検査対象物であるインバータ、１２は、発光ダイオードなどの発光体１２１を含む負荷であり、インバータ１１の出力状態によって発光体１２１の発光状態が変化する。１３は、発光体１２１の発光状態を受光し、電気信号として出力する受光素子である。１４は、計測機器部であり具体的には受光素子からのアナログ信号をデジタル信号に変換するアナログ／デジタル変換器などがあげられる。１５は制御部で計測機器部１４から得られる信号データを解析し、インバータ１１の出力状態を判断し合否判定などを行なう部分で具体的な例としてはパソコンなどがある。１６は直流安定化電源である。本発明の検査装置は、負荷１２に含まれる発光体１２１を検査項目に最適なものに変更する、または、発光体１２１を含む負荷１２を、検査項目に最適なものに変更することで、基本構成を共通とすることが可能な検査装置である。
【００１４】
ＬＥＤや液晶ディスプレイの発光状態を受光素子で受け、受光素子から発せられるアナログ信号をアナログ／デジタル変換機でデジタル信号に変換された後、ＰＣに入力する。合格判定は、ＰＣに入力された信号とＰＣで任意に設定出来る規格値を比較し行う。
【００１５】
例えば出力電流が正常値よりも小さければＬＥＤや液晶ディスプレイは正常な状態よりも暗く点灯する。ＬＥＤや液晶ディスプレイが暗ければＰＣに入力される信号も小さくなり、規格値以下でＮＧと判定される。異常停止はＬＥＤや液晶ディスプレイが全く点灯しないため、ＰＣに入力される信号も０レベルなのでＮＧと判断する。また、必要のない間欠（制御外で出力が無くなる）場合も、その状態ではＬＥＤや液晶ディスプレイは消灯（間欠時間が短い場合は目視では判断出来ないこともある。これが繰り返されるとチラツキになる。）するためＰＣに入力される信号も０レベルになる。これらＰＣ内での判定は専用のプログラムで行なうことになる。
【００１６】
次に本発明の具体的な実施例について図１〜図７に基づき説明する。
【実施例１】
【００１７】
第一の実施例として、冷陰極管点灯用インバータのエージング検査に本発明の検査方法及び装置を用いた例を、図１及び図２に基づき説明する。図２は、本発明による冷陰極管点灯用インバータのエージング検査の合否判定波形例を示す図である。
図１で示した本発明の冷陰極管点灯用インバータの検査装置を基本構成とするインバータのエージング検査装置は、負荷１２に液晶ディスプレイまたは発光体１２１を含むエージング用疑似負荷、発光体１２１に発光ダイオードを使用する検査装置であって、計測機器部１４にはアナログ／デジタル変換器、制御部１５にはパソコンを用い、アナログ／デジタル変換器からパソコンへ入力されるデジタル信号によって、インバータの出力状態を解析し、負荷１２に出力される電流、すなわちインバータ出力電流を監視し、異常動作である出力間欠、出力停止の有無によって合否判定を行う。
【実施例２】
【００１８】
第二の実施例として、冷陰極管点灯用インバータの過励振試験検査に本発明の検査方法及び装置を用いた例を、図１及び図３に基づき説明する。
図３は、前記インバータの過励振試験の合否判定波形例を示す図である。
図１で示した本発明の冷陰極管点灯用インバータの検査装置を基本構成とするインバータの過励振試験装置は、負荷１２に発光体１２１を含む過励振試験用疑似負荷、発光体１２１に発光ダイオードを使用する検査装置であって、計測機器部１４であるアナログ／デジタル変換器から制御部１５であるパソコンへ入力されるデジタル信号によって、インバータの出力状態を解析し、インバータが動作している時間、インバータが有する振動子の振動の大小に同期し、負荷１２に出力される電流、すなわちインバータ出力電流値の大小を監視し、パソコンのプログラムによって任意に設定が可能な閾値との比較で合否判定を行う。
【実施例３】
【００１９】
第三の実施例として、冷陰極管点灯用インバータの出力電流値検査に本発明の検査方法及び装置を用いた例を、図１及び図４に基づき説明する。
図４は、前記インバータの出力電流値検査の合否判定波形例を示す図である。図１で示した本発明の冷陰極管点灯用インバータの検査装置を基本構成とするインバータの出力電流値検査装置は、負荷１２に液晶ディスプレイまたは発光体１２１を含む出力電流値検査用疑似負荷、発光体１２１に発光ダイオードを使用する検査装置であって、計測機器部１４であるアナログ／デジタル変換器から制御部１５であるパソコンへ入力されるデジタル信号によって、インバータの出力状態を解析し、負荷１２に出力される電流、すなわちインバータ出力電流値の大小を監視し、パソコンのプログラムによって任意に設定が可能な閾値との比較で合否判定を行う。  
【実施例４】
【００２０】
第四の実施例として、冷陰極管点灯用インバータの時分割調光オン時間検査に本発明の検査方法及び装置を用いた例を、図１及び図５に基づき説明する。
図５は、前記インバータの時分割調光オン時間検査の合否判定波形例を示す図である。
図１で示した本発明の冷陰極管点灯用インバータの検査装置を基本構成とするインバータの時分割調光オン時間検査装置は、負荷１２に液晶ディスプレイまたは発光体１２１を含む時分割調光オン時間検査用疑似負荷、発光体１２１に発光ダイオードを使用する検査装置であって、計測機器部１４であるアナログ／デジタル変換器から制御部１５であるパソコンへ入力されるデジタル信号によって、インバータの出力状態を解析し、負荷１２に出力される電流、すなわちインバータ出力電流値の出力時間を監視し、パソコンのプログラムによって任意に設定が可能な閾値との比較で合否判定を行う。
【実施例５】
【００２１】
第五の実施例として、冷陰極管点灯用インバータの点灯試験検査に本発明の検査方法及び装置を用いた例を、図１及び図６に基づき説明する。
図６は、前記インバータの点灯試験検査の合否判定波形例を示す図である。図１で示した本発明の冷陰極管点灯用インバータの検査装置を基本構成とするインバータの点灯試験装置は、負荷１２に液晶ディスプレイまたは発光体１２１を含む点灯試験用疑似負荷、発光体１２１に発光ダイオードを使用する検査装置であって、アナログ／デジタル変換器からパソコンへ入力されるデジタル信号によって、インバータの出力状態を解析し、負荷１２に出力される電流、すなわちインバータ出力電流を監視し、異常動作である出力間欠、出力停止の有無によって合否判定を行う。
【実施例６】
【００２２】
第六の実施例として、冷陰極管点灯用インバータのチラツキ検査に本発明の検査方法及び装置を用いた例を、図１及び図２に基づき説明する。
図７は、前記インバータのチラツキ検査の合否判定波形例を示す図である。
図１の本発明を適用した冷陰極管点灯用インバータの検査装置を基本構成とするインバータのチラツキ検査装置は、負荷１２に液晶ディスプレイまたは発光体１２１を含むチラツキ検査用疑似負荷、発光体１２１に発光ダイオードを使用する検査装置であって、アナログ／デジタル変換器からパソコンへ入力されるデジタル信号によって、インバータの出力状態を解析し、負荷１２に出力される電流、すなわちインバータ出力電流を監視し、異常動作である出力電流の変動、出力間欠の有無によって合否判定を行う。
【図面の簡単な説明】
【００２３】
【図１】本発明を説明するための冷陰極管点灯用インバータの検査装置の基本構成を示す図。
【図２】図１における冷陰極管点灯用インバータのエージング検査の合否判定波形例を示す図。
【図３】図１における冷陰極管点灯用インバータの過励振試験検査の合否判定波形例を示す図。
【図４】図１における冷陰極管点灯用インバータの出力電流値検査の合否判定波形例を示す図。
【図５】図１における冷陰極管点灯用インバータの時分割調光オン時間検査の合否判定波形例を示す図。
【図６】図１における冷陰極管点灯用インバータの点灯試験検査の合否判定波形例を示す図。
【図７】図１における冷陰極管点灯用インバータのチラツキ検査の合否判定波形例を示す図。
【図８】従来の冷陰極管点灯インバータの検査装置の説明図。
【符号の説明】
【００２４】
１    インバータ
２    負荷
３    直流安定化電源
１１    インバータ
１２    負荷
１３    受光素子
１４    計測機器部
１５    制御部
１６    直流安定化電源
１２１    発光体
【図１】
2008270002.tif 000003
【図２】
2008270002.tif 000004
【図３】
2008270002.tif 000005
【図４】
2008270002.tif 000006
【図５】
2008270002.tif 000007
【図６】
2008270002.tif 000008
【図７】
2008270002.tif 000009
【図８】
2008270002.tif 000010